(57)【要約】      （修正有）【課題】積雪を瞬間湯沸かし器を利用して融雪する融雪車を提供する。【解決手段】移動可能な台車と、前記台車の上に雪投入口を設けた貯水タンクと、水を加圧するためのポンプ４と、熱水を得るための瞬間湯沸かし器３と、前記瞬間湯沸かし器で得られた前記熱水を調節する調節バルブ１１、１４と、前記雪投入口上部に設けられ、前記調節された熱水をプールして散布するための熱水散布孔を有する融雪装置と、を備え、前記調節バルブによって調節された熱水は、耐熱ホース２０を使って散布され雪を溶かすこと。【選択図】図１
0003224407.tif 000002
【実用新案登録請求の範囲】
【請求項１】
移動可能な台車と、前記台車の上に雪投入口を設けた貯水タンクと、水を加圧するためのポンプと、熱水を得るための瞬間湯沸かし器と、前記瞬間湯沸かし器でできた熱水を調節する調節バルブと,前記貯水タンクの上部に設けた融雪装置と、前記瞬間湯沸かし器でできた熱水を散布するための耐熱ホースを含むことを特徴とする融雪車。
【考案の詳細な説明】
【技術分野】
【０００１】
本考案は、積雪の害を瞬間湯沸かし器を利用して融雪する融雪車である。
【背景技術】
【０００２】
積雪の多い地域では、家屋や道路など積雪による被害が多く発生している。                              
除雪作業もただ単に雪の移動を行っただけにすぎず、二次的作業（雪捨て場に雪を捨てに行く）も必要になっていた。
【先行技術文献】
【特許文献】
【０００３】
【特許文献１】特開平０９−３２８９２９
【特許文献２】実開平０５−４５１６４
【考案の概要】
【考案が解決しようとする課題】
【０００４】
特許文献１の考案は、屋根に融雪装置を設置したり、消雪機との接続をしたりしなければならず、また、路面の消雪にしてもタンク一杯の量しか熱水は供給できないし、広い範囲の消雪をしようと思えば、タンクの水を何回も取り替えなければならない。
特許２の考案については、熱風で消雪した残りの雪を削り取って、熱水の水の補給に充てている。これは道路からはみ出た部分や、路面上の雪を完全に消雪するには時間と効率化に問題がある。その量も不安定である。
【課題を解決するための手段】
【０００５】
本考案は、瞬間湯沸かし器を利用することで熱水が容易に取得でき、耐熱ホースまたはパイプで自在に雪面に振りかけ、消雪が可能になる。熱水を得るためには、常に水の補給が肝要である。そのためには、貯水タンクが必要になってくるが、通常のタンクでは、内容量を使い切ったら、給水車など別の機構が必要になってくる。それを解決するために、貯水タンクに雪投入口を設け、更にその雪を、雪投入口上部に設けた、熱水散布口から熱水を浴びせて雪を溶か
してタンク内に水を補給することができるようにして問題を解決している。さらに貯水タンクを2分割にし、上部を可動できるようにして、雪のある方向に雪投入口を向けることで、雪の投入が容易になる。
【考案の効果】
【０００６】
上述の様に、本考案の瞬間湯沸かし器を利用した移動式の融雪車は、融雪効果の高い熱水をすぐに利用でき、熱水の元となる水も継続的に補給することができ、その熱水を散布することで、広範囲にかつ長時間利用が可能で、道路及び建築物に積もった雪の除去に役立つ。
【図面の簡単な説明】
【０００７】
【図１】本考案の瞬間湯沸かし器を利用した融雪車の側面図である。
【図２】本考案の貯水タンクの側面図である。
【図３】本考案の雪投入口の上部分の熱水散布装置側面図である．
【考案を実施するための形態】
【０００８】
牽引できる台車上に、瞬間湯沸かし器、瞬間湯沸かし器の動力源、雪投入口を設けた給水タンクを設置し、ホイールローダー等の集雪車及び集雪機で雪を雪投入口に投入しながら雪を溶かし、牽引自動車等とコラボして、熱水を路上や建築物に散布することで路上や建築物に積雪した雪を連続的に且つ長時間にわたって溶かすことができる。
【実施例】
【０００９】
以下添付図面に従って実施例を説明する。図1においては、瞬間湯沸かし器と瞬間湯沸かし器の動力源と水圧を保持するためのポンプと、雪投入口を設けた貯水タンクを搭載した移動可能な融雪車である。図２においては雪投入口の上の部分の融雪のための熱水散布装置図である。図３においては上下２分割した、雪投入口を設けた貯水タンクである。
【００１０】
５は貯水タンクの上部、６は下部に貯水した水を４のポンプに送り、次に３の瞬間湯沸かし器で熱水を作る。熱水は２の動力源で瞬間湯沸かし器を可動する。出来た熱水は、９の熱水出水パイプを出て、１３のジョイント部へ行く。ジョイント部では、耐熱ホースを経て外部目標へ放水する方向と貯水タンクの上の熱水散布装置へと向かう方への分岐点である。１２の耐熱パイプを通り、１１の水量調節バルブを経て外部の目標物へ向かって熱水を放水することができる。その間５，６の貯水タンクには、１０の雪受け部に雪を置き、７，８の熱水を融雪する装置から絶えず熱水を散布することで雪を融雪し水を確保する。
【００１１】
本考案の実施例の如き構成からなるものであるから、台車をけん引または押すことで、移動が可能になり、各方面で実施が可能となる。
【符号の説明】
【００１２】
１  台車
２  動力源
３  瞬間湯沸かし器
４  ポンプ
５  貯水タンク上部
６  貯水タンク下部  
７  融雪装置
８  融雪装置
９  熱水出水パイプ
10  雪投入口の雪受け部        
11,14    熱水調節バルブ
12,15    熱水パイプ
13  熱水の出水パイプと熱水が貯水タンクへ向かう方と放水する方へ向かうようにするためのジョイント
16  貯水タンクからポンプへの送水パイプ
17  ポンプから瞬間湯沸かし器への送水パイプ
19  瞬間湯沸かし器と動力源の接合部
20  熱水放水用耐熱ホース  
7a−１  熱水プール部の水散布孔部
8a  熱水プール部
7a―２  熱水散布孔
６ｃ  貯水タンク上部受け部      
【図１】
0003224407.tif 000003
【図２】
0003224407.tif 000004
【図３】
0003224407.tif 000005
【手続補正書】
【提出日】令和1年9月19日(2019.9.19)
【手続補正１】
【補正対象書類名】実用新案登録請求の範囲
【補正対象項目名】全文
【補正方法】変更
【補正の内容】
【実用新案登録請求の範囲】
【請求項１】
移動可能な台車と、前記台車の上に、雪投入口を設けた貯水タンクと、水を加圧するためのポンプと、熱水を得るための瞬間湯沸かし器と、前記瞬間湯沸かし器でできた、前記熱水を調節する調節バルブと、前記瞬間湯沸かし器で得た熱水を、前記貯水タンクの前記雪投入口上部に設けた、熱水をプールして散布する熱水散布孔を設けた融雪装置置と、前記瞬間湯沸かし器でできた熱水を前記調節バルブをとおして、耐熱ホースを使って散布して雪を溶かすことを特徴とする融雪車。
【手続補正書】
【提出日】令和1年10月24日(2019.10.24)
【手続補正１】
【補正対象書類名】実用新案登録請求の範囲
【補正対象項目名】全文
【補正方法】変更
【補正の内容】
【実用新案登録請求の範囲】
【請求項１】
移動可能な台車と、前記台車の上に雪投入口を設けた貯水タンクと、水を加圧するためのポンプと、熱水を得るための瞬間湯沸かし器と、前記瞬間湯沸かし器で得られた前記熱水を調節する調節バルブと、前記雪投入口上部に設けられ、前記調節された熱水をプールして散布するための熱水散布孔を有する融雪装置と、を備え、
前記調節バルブによって調節された熱水は、耐熱ホースを使って散布され雪を溶かすことを特徴とする融雪車。